(57)【要約】      （修正有）【課題】組み立て、分解容易、保管容易、廃棄容易であり、被災対策物資として活用できる強化段ボール製の簡易ベッドを提供する。【解決手段】長方形状で所定の間隔で短辺方向の複数の差し込み用凹陥部を設けた第１の長方形状中間材１４と、長方形状で所定の間隔で短辺方向の複数の差し込み用凹陥部を設けた第２の長方形状中間材とを、各差し込み用凹陥部１１同士の差し込み連結により井桁状に組み立てた中間構造体１０とを設ける。この中間構造体１０上に上面全体が平坦となるように接合配置した長方形状の補強板２１と、補強板２１及び前記中間構造体１０上に接合配置した四角形状の天板３１と、前記中間構造体１０の底面に接合配置した四角形状で、辺部に前記中間構造体１０の長辺部壁面に仮止めにより添着され、中間構造体１０内に形成可能な収納スペースの開口部開閉用の折り曲げ片４２を具備する底板４１とを有する。【選択図】図１
0003177323.tif 000002
【実用新案登録請求の範囲】
【請求項１】
強化段ボール製の簡易ベッドであって、
長方形状で所定の間隔で短辺方向の複数の差し込み用凹陥部を設けた第１の長方形状中間材と、長方形状で所定の間隔で短辺方向の複数の差し込み用凹陥部を設けた第２の長方形状中間材とを、前記各差し込み用凹陥部同士の差し込み連結により井桁状に組み立てた中間構造体と、
この中間構造体上に上面全体が平坦となるように接合配置した長方形状の補強板と、
前記補強板及び前記中間構造体上に接合配置した四角形状の天板と、
前記中間構造体の底面に接合配置した四角形状で、辺部に前記中間構造体の長辺部壁面に仮止めにより添着され、中間構造体内に形成可能な収納スペースの開口部開閉用の折り曲げ片を具備する底板と、
を有することを特徴とする強化段ボール製の簡易ベッド。
【請求項２】
強化段ボール製の簡易ベッドであって、
長方形状で所定の間隔で短辺方向の複数の差し込み用凹陥部を設けた第１の長方形状中間材と、長方形状で所定の間隔で短辺方向の複数の差し込み用凹陥部を設けた第２の長方形状中間材とを、前記各差し込み用凹陥部同士の差し込み連結により又は糊若しくは接着剤による固着により井桁状に組み立てた中間構造体と、
この中間構造体上に中間構造体の上辺の一部と差し込み連結される状態で、かつ、上面全体が平坦となるように着脱可能な仮止め又は糊若しくは接着剤による固着により接合配置した長方形状の補強板と、
前記補強板及び前記中間構造体上に着脱可能な仮止め又は糊若しくは接着剤による固着により接合配置した四角形状の天板と、
前記中間構造体の底面に着脱可能な仮止め又は糊若しくは接着剤による固着により接合配置した四角形状で、前記中間構造体の底面に接合配置した四角形状で、辺部に前記中間構造体の長辺部壁面に仮止めにより添着され、中間構造体内に形成可能な収納スペースの開口部開閉用の折り曲げ片を具備する底板と、
を有することを特徴とする強化段ボール製の簡易ベッド。
【請求項３】
強化段ボール製の簡易ベッドであって、
長方形状で、一方の長辺における一方の端部近く、中央部及び他方の端部近くにわたって所定の間隔で短辺方向の４個の差し込み用凹陥部を設け、他方の長辺には、前記４個の差し込み用凹陥部に対応する配置で両端部及び中央部に短辺方向の寸法が大きい突出長辺部を、突出長辺部の間には短辺方向の寸法が小さい普通長辺部を設けた第１の長方形状中間材と、
長方形状で、一方の長辺に所定の間隔で前記第１の長方形状中間材の差し込み用凹陥部と対応する間隔及び数の差し込み用凹陥部を設け、他方の長辺は直線状とした第２の長方形状中間材と、
を用い、
４個ずつの第１の長方形状中間材と第２の長方形状中間材とを、直交させる配置で各差し込み用凹陥部同士を差し込みにより、又は糊若しくは接着剤による固着により、井桁状で、かつ、前記第１の長方形状中間材の両端部及び中央部の各突出長辺部が、第１の長方形状中間材の普通長辺部及び第２の長方形状中間材の一方の長辺より上方に突出し、かつ、第２の長方形状中間材の長辺方向に前記差し込み用凹陥部の間隔に相当する間隔をもって並ぶ形態に組み立てた中間構造体と、
長方形状で、井桁状に組み立てた各第１の長方形状中間材の各普通長辺部と各普通長辺部の両側に位置する第２の長方形状中間材における一方の長辺との上に、前記各突出長辺部両側に位置して着脱可能に又は糊若しくは接着剤による固着により配置されるとともに、長辺両側に井桁状に組み立てた各第１の長方形状中間材の両端部及び中央部の各突出長辺部に差し込む差し込み用凹陥部を設け、中間構造体上に組み込んだとき上面を平坦状とする２個の補強板と、
前記２個の補強板、前記中間構造体を構成する第１の長方形状中間材の両端部及び中央部の各突出長辺部上に着脱可能な仮止め又は糊若しくは接着剤による固着により接合配置した四角形状の天板と
前記中間構造体の底面に着脱可能な仮止め又は糊若しくは接着剤による固着により接合配置されるとともに、辺部に前記中間構造体の長辺部壁面に着脱可能な仮止めにより添着され、中間構造体内に形成可能な収納スペースの開口部開閉用の折り曲げ片を具備する四角形状の底板と、
を有することを特徴とする強化段ボール製の簡易ベッド。
【請求項４】
強化段ボール製の簡易ベッド連結構造体であって、
長方形状で、一方の長辺における一方の端部近く、中央部及び他方の端部近くにわたって所定の間隔で短辺方向の４個の差し込み用凹陥部を設け、他方の長辺には、前記４個の差し込み用凹陥部に対応する配置で両端部及び中央部に短辺方向の寸法が大きい突出長辺部を、突出長辺部の間には短辺方向の寸法が小さい普通長辺部を設けた第１の長方形状中間材と、
長方形状で、一方の長辺に所定の間隔で前記第１の長方形状中間材の差し込み用凹陥部と対応する間隔及び数の差し込み用凹陥部を設け、他方の長辺は直線状とした第２の長方形状中間材と、
を用い、
４個ずつの第１の長方形状中間材と第２の長方形状中間材とを、直交させる配置で各差し込み用凹陥部同士を差し込みにより、又は糊若しくは接着剤による固着により、井桁状で、かつ、前記第１の長方形状中間材の両端部及び中央部の各突出長辺部が、第１の長方形状中間材の普通長辺部及び第２の長方形状中間材の一方における長辺より上方に突出し、かつ、第２の長方形状中間材の長辺方向に前記差し込み用凹陥部の間隔に相当する間隔をもって並ぶ形態に組み立てた中間構造体と、
長方形状で、井桁状に組み立てた各第１の長方形状中間材の各普通長辺部と各普通長辺部の両側に位置する第２の長方形状中間材の一方の長辺との上に、前記各突出長辺部両側に位置して着脱可能に又は糊若しくは接着剤による固着により配置されるとともに、長辺両側に井桁状に組み立てた各第１の長方形状中間材の両端部及び中央部の各突出長辺部に差し込む差し込み用凹陥部を設け、中間構造体上に組み込んだとき上面を平坦状とする２個の補強板と、
前記２個の補強板、前記中間構造体を構成する第１の長方形状中間材の両端部及び中央部の各突出長辺部上に着脱可能な仮止め又は糊若しくは接着剤による固着により接合配置した四角形状の天板と
前記中間構造体の底面に着脱可能な仮止め又は糊若しくは接着剤による固着により接合配置されるとともに、辺部に前記中間構造体の長辺部壁面に着脱可能な仮止めにより添着され、中間構造体内に形成可能な収納スペースの開口部開閉用の折り曲げ片を具備する四角形状の底板と、
を有する強化段ボール製の簡易ベッドを床面上に複数個連ねて配置したことを特徴とする強化段ボール製の簡易ベッド連接構造体。
【考案の詳細な説明】
【技術分野】
【０００１】
本考案は、強化段ボール製の簡易ベッド及び強化段ボール製の簡易ベッド連接構造体に関し、詳しくは、耐荷重性に優れ、安価で、中間構造体内の空間利用も可能であり、更には組み立て、分解容易、保管容易、廃棄容易で、被災対策物資として活用できる強化段ボール製の簡易ベッド及び強化段ボール製の簡易ベッド連接構造体に関するものである。
【背景技術】
【０００２】
強化段ボール等の段ボール材は、その組み立て容易性、加工容易性、廃棄容易性等の観点から例えば大震災発生時のような緊急時対策物資として就寝用、休息用の簡易ベッド等に構成して実用に供されている。
【０００３】
例えば、特許文献１には、井桁構造体と、上下２枚からなり、その周辺に設けた切込を、前記井桁構造体の周辺の上下中間位置に設けた切込と噛合わせ、井桁構造体を覆うとともに、前記井桁構造体の壁面部分で前記２枚のカバー同士をロックするロック部材を備えた構成からなる段ボール製組立式ベッドが提案されている。
【０００４】
しかし、特許文献１の段ボール製の組立式ベッドの場合、基本的には井桁構造体を上下２枚のカバーで覆うのみの構成であるため、井桁構造体のみで荷重を受けることになり従って耐荷重性の点で必ずしも十分でなく、また、井桁構造体は２枚のカバーで完全に覆われることから、井桁構造体内の空間を活用することはできなくなる。
【先行技術文献】
【特許文献】
【０００５】
【特許文献１】特開２００９−５９０２号公報
【考案の概要】
【考案が解決しようとする課題】
【０００６】
本考案が解決しようとする問題点は、耐荷重性に優れ、安価であり、中間構造体内の空間利用も可能であり、更には組み立て、分解容易、保管容易、廃棄容易で、被災対策物資として活用できるような強化段ボール製の簡易ベッドが存在しない点である。
【課題を解決するための手段】
【０００７】
本考案に係る強化段ボール製の簡易ベッドは、長方形状で所定の間隔で短辺方向の複数の差し込み用凹陥部を設けた第１の長方形状中間材と、長方形状で所定の間隔で短辺方向の複数の差し込み用凹陥部を設けた第２の長方形状中間材とを、前記各差し込み用凹陥部同士の差し込み連結により井桁状に組み立てた中間構造体と、この中間構造体上に上面全体が平坦となるように接合配置した長方形状の補強板と、前記補強板及び前記中間構造体上に接合配置した四角形状の天板と、前記中間構造体の底面に接合配置した四角形状で、辺部に前記中間構造体の長辺部壁面に仮止めにより添着され、中間構造体内に形成可能な収納スペースの開口部開閉用の折り曲げ片を具備する底板と、を有することを最も主要な特徴とする
【考案の効果】
【０００８】
請求項１記載の考案によれば、耐荷重性に優れ、安価で、組み立て容易で、更に中間構造体内の空間利用も可能であり、被災対策物資として好適に活用できる強化段ボール製の簡易ベッドを実現し提供することができる。
【０００９】
請求項２記載の考案によれば、前記請求項１記載の考案の場合と同様な効果を奏し、また、特に各要素を差し込み連結、仮止め連結とした場合には組み立て、分解容易、保管容易、廃棄容易であり、また、各要素を固着連結した場合には、全体の耐荷重性を高めより頑丈な強化段ボール製の簡易ベッドを実現し提供することができる。
【００１０】
請求項３記載の考案によれば、前記請求項２記載の考案の場合と同様な効果を奏する強化段ボール製の簡易ベッドを実現し提供することができる。
【００１１】
請求項４記載の考案によれば、公民館、体育館等の緊急避難場所のフローリング等からなる床面上に所要面積分敷設することで、フローリングのみに比べ暖をとれる段ボール床を形成することができ、多くの避難住民のための簡易な就寝用床又は休憩用床として好適に活用することができる強化段ボール製の簡易ベッド連接構造体を実現し提供することができる。
【図面の簡単な説明】
【００１２】
【図１】図１は本考案の実施例１に係る強化段ボール製の簡易ベッドの概略斜視図である。
【図２】図２は本実施例１に係る強化段ボール製の簡易ベッドの概略分解斜視図である。
【図３】図３は本実施例１に係る強化段ボール製の簡易ベッドにおける第１の長方形状中間材を示す平面である。
【図４】図４は本実施例１に係る強化段ボール製の簡易ベッドにおける第２の長方形状中間材を示す平面である。
【図５】図５は本実施例１に係る強化段ボール製の簡易ベッドにおける補強板を示す平面図である。
【図６】図６は本実施例１に係る強化段ボール製の簡易ベッドにおける底板を示す平面図である。
【図７】図７は本実施例１に係る強化段ボール製の簡易ベッドを構成する強化段ボール素材の端面の概略説明図である。
【図８】図８は本実施例１に係る強化段ボール製の簡易ベッドの第１の長方形状中間材と第２の長方形状中間材との組み立て工程を示す分解斜視図である。
【図９】図９は本実施例１に係る強化段ボール製の簡易ベッドの中間構造体、補強板の組み立て工程を示す分解斜視図である。
【図１０】図１０は本考案の実施例２に係る強化段ボール製の簡易ベッド連接構造体を示す概略斜視図である。
【考案を実施するための形態】
【００１３】
本考案は、耐荷重性に優れ、中間構造体内の空間利用も可能であり、更には安価で、組み立て、分解容易、保管容易、廃棄容易である強化段ボール製の簡易ベッドを実現し提供するという目的を、強化段ボール製の簡易ベッドであって、長方形状で所定の間隔で短辺方向の複数の差し込み用凹陥部を設けた第１の長方形状中間材と、長方形状で所定の間隔で短辺方向の複数の差し込み用凹陥部を設けた第２の長方形状中間材とを、前記各差し込み用凹陥部同士の差し込み連結により又は糊若しくは接着剤による固着により井桁状に組み立てた中間構造体と、この中間構造体上に中間構造体の上辺の一部と差し込み連結される状態で、かつ、上面全体が平坦となるように着脱可能な仮止め又は糊若しくは接着剤による固着により接合配置した長方形状の補強板と、前記補強板及び前記中間構造体上に着脱可能な仮止め又は糊若しくは接着剤による固着により接合配置した四角形状の天板と、前記中間構造体の底面に着脱可能な仮止め又は糊若しくは接着剤による固着により接合配置した四角形状で、前記中間構造体の底面に接合配置した四角形状で、辺部に前記中間構造体の長辺部壁面に仮止めにより添着され、中間構造体内に形成可能な収納スペースの開口部開閉用の折り曲げ片を具備する底板と、を有する構成により実現した。
【実施例】
【００１４】
以下、本考案の実施例に係る強化段ボール製の簡易ベッド及び強化段ボール製の簡易ベッドの連接構造体について図面を参照して詳細に説明する。なお、以下の説明では、Ｘ方向、Ｙ方向を図１、図２に示すように定義する。
【００１５】
（実施例１）
本考案の実施例に係る強化段ボール製の簡易ベッド１は、各々強化段ボール製の中間構造体１０と、同一形状の２個の補強板２１と、天板３１と、底板４１と、を立体的に組み上げて図１に示すように構成したものである。
【００１６】
また、前記簡易ベッド１を構成するための強化段ボール素材５１としては、図７に示すように、平板状の４枚のライナー５２と、端面が波形状の３枚の中芯５３とを、前記各中芯５３が各ライナー５２で挟まれるように重合した中芯３層構造とした例を挙げることができる。
【００１７】
本実施例１においては、強化ダンボール素材５１を用意し、図示していないがコンピュータ制御のカッタ装置又はプレス（裁断機）で裁断、加工して、前記中間構造体１０、補強板２１、天板３１、底板４１を形成するものである。
【００１８】
本実施例１に係る強化段ボール製の簡易ベッド１を構成する中間構造体１０は、図３に示すように、例えば、長さ９００ｍｍ、幅（高さ）１４０ｍｍの寸法の長方形状で、一方の長辺（底板４１側の長辺）の一方の端部近く、中央部及び他方の端部近くにわたって所定の間隔で短辺方向の４個の差し込み用凹陥部１１を設け、他方の長辺（天板３１側の長辺）には、前記４個の差し込み用凹陥部１１に対応する配置で両端部及び中央部に短辺方向の寸法が大きい突出長辺部１２を、各突出長辺部１２の間には短辺方向の寸法が小さい普通長辺部１３を設けた第１の長方形状中間材１４と、図４に示すように、例えば、長さ９００ｍｍ、幅（高さ）１４０ｍｍの寸法の長方形状で、一方の長辺（天板３１側の長辺）に所定の間隔で前記第１の長方形状中間材１４の差し込み用凹陥部１１と対応する間隔及び数の差し込み用凹陥部１５を設け、他方の長辺（底板４１側の長辺）は直線状とした第２の長方形状中間材１６とを、いずれも４個ずつ用い、これらを井桁状に組み上げることで構成している。
【００１９】
前記補強板２１は、図２、図５  図８に示すように、例えば、長さ９００ｍｍ、幅３７５ｍｍの寸法の長方形状で、長辺両側に、井桁状に組み立てた各第１の長方形状中間材１４の両端部及び中央部の各突出長辺部１２に差し込む４個ずつの差し込み用凹陥部２２を設けている。
【００２０】
前記天板３１は、図１、図２に示すように、例えば、長さ９００ｍｍ、幅９００ｍｍの寸法の正方形状に形成され、前記２個の補強板２１上及び前記中間構造体１０を構成する第１の長方形状中間材１４の両端部及び中央部の各突出長辺部１２が形成する平坦な上面の上に配置するように構成している。
【００２１】
前記底板４１は、図２、図６に示すように、例えば、長さ９００ｍｍ、幅９００ｍｍの寸法の正方形状に形成され、前記中間構造体１０の底面に配置するとともに、例えば、対向する二つの辺部の中央位置に、前記中間構造体１０の第２の長方形状中間材１６の長辺部壁面に添着され、中間構造体１０内に形成可能な収納スペースの開口部開閉用の折り曲げ片４２を折り曲げ可能に具備する構成としている。
【００２２】
この場合、図１に示すように、最外部に位置する第２の長方形状中間材１６における長辺部の一部に抜穴１６ａを設け、前記長辺部と折り曲げ片４２には対応配置に面ファスナー又はオス、メスの釦等からなる仮止め具Ｆ、Ｆを各々取り付ける構成を採用することもできる。
なお、図３乃至図６において、丸穴内の複数の縦線又は横線は、前記中芯５３の波目方向を示すものである。
【００２３】
次に、図１、図２、図８、図９を参照して本実施例１に係る強化段ボール製の簡易ベッド１の組み立て工程について説明する。
【００２４】
まず、図８に示すように、４個の第１の長方形状中間材１４と、４個の第２の長方形状中間材１６とを、第２の長方形状中間材１６を下側でＹ方向に並列させ、第１の長方形状中間材１４を上側でＸ方向に、すなわち、第２の長方形状中間材１６と直交させる配置で並列させる。
【００２５】
そして、対応配置となる各差し込み用凹陥部１１、１５同士を差し込んで、井桁状で、かつ、前記第１の長方形状中間材１４の両端部及び中央部の各突出長辺部１２が、この第１の長方形状中間材１４の普通長辺部１３及び第２の長方形状中間材１６の一方の長辺（天板３１側の長辺）より上方に同一の高さ寸法分突出し、かつ、第２の長方形状中間材１６の長辺方向（Ｙ方向）に前記差し込み用凹陥部１５の間隔に相当する間隔をもって並ぶ形態に組み立てる。
【００２６】
この場合、前記各差し込み用凹陥部１５と、各差し込み用凹陥部１１とは、差し込み連結のみ、又は、糊若しくは接着剤による固着連結のいずれかの態様とする。
【００２７】
次に、図９に示すように、井桁状に組み立てた各第１の長方形状中間材１４の各普通長辺部１３と各普通長辺部１３の両側に位置する第２の長方形状中間材１６における一方の長辺との上に、２個の補強板２１を前記各突出長辺部１２両側に位置して配置し、図２に示すように、前記補強板２１の各差し込み用凹陥部２２を各第１の長方形状中間材１４の突出長辺部１２に着脱可能な差し込み連結によって、上面全体を平坦状とする。
【００２８】
この場合、２個の補強板２１を糊若しくは接着剤による固着連結するようにすることもできる。
【００２９】
次に、図２に示すように、２個の補強板２１を上面に配置した中間構造体１０の上方に天板３１を配置して、図１に示すように、この天板３１を中間構造体１０及び２個の補強板２１上に接合する。
【００３０】
この場合、天板３１は、２個の補強板２１に対して面ファスナー又はオスメスの釦による着脱可能な仮止めとしたり、糊若しくは接着剤による固着により接合配置したりするという態様を採用することができる。
【００３１】
次に、図２に示すように、２個の補強板２１を上面に配置した中間構造体１０の下方に底板４１を配置し、図１に示すように、底板４１を中間構造体１０の底面に接合する。この場合、底板４１は中間構造体１０の底面に対して面ファスナー又はオスメスの釦による着脱可能な仮止めとしたり、糊若しくは接着剤による固着により接合配置したりするという態様を採用することができる。
【００３２】
上述した強化段ボール製の簡易ベッド１の全体寸法は、上述した寸法例の場合、Ｘ方向、Ｙ方向の寸法がいずれも９００ｍｍ、高さ約１５０ｍｍの直方体状となるが、このような寸法に限定されるものではなく、Ｘ方向、Ｙ方向の寸法及び高さ寸法を種々に変更して構成できることは勿論である。
【００３３】
以上説明した本実施例１に係る強化段ボール製の簡易ベッド１によれば、全体として強化段ボール素材５１を用いて各要素を構成しているので、低コストであるとともに簡略に組み立てることができ、予め備蓄しておくことにより、震災等が発生した場合のような緊急事態時における安価、かつ、簡易な就寝用具又は休憩用具として好適に活用することができる。
【００３４】
また、中間構造体１０の上面に、補強板２１の各差し込み用凹陥部２２を各第１の長方形状中間材１４の突出長辺部１２に差し込み連結し、上面全体が平坦となるように配置する構成であるため、中間構造体１０全体として、したがって強化段ボール製の簡易ベッド１全体として耐荷重性が強化された頑丈な構造とすることができる。
【００３５】
そして、上述した第１の長方形状中間材１４と、第２の長方形状中間材１６とを差し込みのみの連結とし、２個の補強板２１も中間構造体１０に対しても差し込み連結のみとし、更に、天板３１、底板４１をいずれも仮止めで取り付ける態様とした場合には、各要素の分解容易、積層容易、省スペースでの保管容易あるという利点を有し、また各要素の廃棄も容易であり、各要素の再資源利用も可能であるという特徴を有するものである。
【００３６】
一方、第１の長方形状中間材１４と、第２の長方形状中間材１６とを、糊若しくは接着剤による固着連結とし、２個の補強板２１も中間構造体１０に対して糊若しくは接着剤による固着連結とし、更に、天板３１、底板４１をいずれも糊若しくは接着剤による固着連結した態様とした場合には、強化段ボール製の簡易ベッド１全体の各要素が一体的に、かつ、強固に連結された構造となり、より耐荷重性が強化された頑丈な構造とすることができる。
更に、第２の長方形状中間材１６における長辺部の一部に抜穴１６ａを設け、前記長辺部と折り曲げ片４２には対応配置に仮止め具Ｆ、Ｆを設けるようにすれば、中間構造体１０内を各種物品の収納スペースとし、折り曲げ片４２をその開口部の開閉蓋として使用でき、強化段ボール製の簡易ベッド１全体の外観体裁を損なうことのない形態とすることができる。
（実施例２）
【００３７】
本考案の実施例２に係る強化段ボール製の簡易ベッド連接構造体６１について、図１０を参照して説明する。
【００３８】
本実施例２に係る強化段ボール製の簡易ベッド連接構造体６１は、既述した実施例１の強化段ボール製の簡易ベッド１を複数個、例えば図１０に示すように、Ｘ方向に２個、Ｙ方向に２個、合計４個構成とし、これらをＸ方向、Ｙ方向とも隣り合うもの同士密着して床面上等に設置した構成としたものである。
【００３９】
なお、強化段ボール製の簡易ベッド１の設置個数は図１０に示す例に限定されるものではない。
【００４０】
本実施例２に係る強化段ボール製の簡易ベッド連接構造体６１によれば、例えば、公民館、体育館等の緊急避難場所のフローリング等からなる床面上に所要面積分敷設することで、フローリングのみに比べ暖をとれる段ボール床を形成することができ、多くの避難住民のための簡易な就寝用床又は休憩用床として好適に活用することができる。
【００４１】
本実施例２の場合も、各強化段ボール製の簡易ベッド１における第１の長方形状中間材１４と、第２の長方形状中間材１６とを差し込みのみの連結とし、２個の補強板２１も中間構造体１０に対して差し込み連結のみとし、更に、天板３１、底板４１をいずれも仮止めで取り付ける態様とした場合には、実施例１の場合と同様、各要素の分解容易、積層容易、省スペースでの保管容易あるという利点を有し、また各要素の廃棄も容易であり、各要素の再資源利用も可能であるという特徴を有するものである。
【産業上の利用可能性】
【００４２】
本考案の強化段ボール製の簡易ベッドは、国、自治体等が運営する公共機関、各種会社、鉄道会社の駅等において震災等が発生した場合に備える備蓄用物品として広範に利用することができる。
【符号の説明】
【００４３】
１    強化段ボール製の簡易ベッド
１０    中間構造体
１１    差し込み用凹陥部
１２    突出長辺部
１３    普通長辺部
１４    第１の長方形状中間材
１５    差し込み用凹陥部
１６    第２の長方形状中間材
１６ａ  抜穴
２１    補強板
２２    差し込み用凹陥部
３１    天板
４１    底板
４２    折り曲げ片
５１    強化段ボール素材
５２    ライナー
５３    中芯
６１    強化段ボール製の簡易ベッド連接構造体
Ｆ    仮止め具
【図１】
0003177323.tif 000003
【図２】
0003177323.tif 000004
【図３】
0003177323.tif 000005
【図４】
0003177323.tif 000006
【図５】
0003177323.tif 000007
【図６】
0003177323.tif 000008
【図７】
0003177323.tif 000009
【図８】
0003177323.tif 000010
【図９】
0003177323.tif 000011
【図１０】
0003177323.tif 000012